(57)【要約】【課題】電気的接続の信頼性を向上できるコネクタ、コネクタセット、および電動家具を提供する。【解決手段】実施形態によれば、コネクタは、第１部分と、第２部分と、電極部分と、第３部分と、を含む。前記電極部分は、前記第１部分と前記第２部分との間に設けられる。前記第３部分は、前記第１部分、前記第２部分、および前記電極部分と連結される。【選択図】図１
2019057410.tif 000002
【特許請求の範囲】
【請求項１】
第１部分と、
第２部分と、
前記第１部分と前記第２部分との間に設けられた電極部分と、
前記第１部分、前記第２部分、および前記電極部分と連結された第３部分と、
を備えたコネクタ。
【請求項２】
第１部分と、
第２部分と、
前記第１部分と前記第２部分との間に設けられ、前記第１部分から前記第２部分に向かう第１方向と交差する第２方向に沿う孔を有する第３部分と、
前記第３部分の内側に設けられた電極部分と、
前記第１部分、前記第２部分、および前記第３部分と連結された第４部分と、
を備えたコネクタ。
【請求項３】
前記第１部分は、第１端部と、前記第４部分に連結された第１連結部と、を含み、
前記第１連結部から前記第１端部に向かう方向は、前記第２方向に沿い、
前記第３部分は、第２端部と、前記第４部分に連結された第２連結部と、を含み、
前記第２連結部から前記第２端部に向かう方向は、前記第２方向に沿い、
前記第２端部の前記第２方向における位置は、前記第１端部の前記第２方向における位置と、前記第１連結部の前記第２方向における位置と、の間にある請求項２記載のコネクタ。
【請求項４】
第１部分と、
第２部分と、
前記第１部分から前記第２部分に向かう第１方向において前記第１部分と前記第２部分との間に設けられた第１電極部分と、
前記第１部分、前記第２部分、および前記電極部分と連結された第３部分と、
を含む第１コネクタと、
第２コネクタであって、
第１部分と、
第２部分と、
前記第２コネクタの前記第１部分と、前記第２コネクタの前記第２部分と、の間に設けられ、前記第１方向と交差する第２方向に沿う孔を有する第３部分と、
前記第２コネクタの前記第３部分の内側に設けられた第２電極部分と、
前記第２コネクタの前記第１部分、前記第２部分、および前記第３部分と連結された第４部分と、
を含む前記第２コネクタと、
を備え、
前記第１電極部分は、前記第２電極部分と接触し、
前記第２コネクタの前記第３部分は、前記第１コネクタの前記第１部分と、前記第１コネクタの前記第２部分と、の間に位置し、
前記第１コネクタの前記第１部分および前記第２部分は、前記第２コネクタの前記第１部分と、前記第２コネクタの前記第２部分と、の間に位置するコネクタセット。
【請求項５】
可動部と、
前記可動部の制御を操作できる操作部を含む制御装置と、
前記可動部と前記制御装置とを電気的に接続する請求項４記載のコネクタセットと、
を備えた電動家具。
【発明の詳細な説明】
【技術分野】
【０００１】
本発明の実施形態は、コネクタ、コネクタセット、および電動家具に関する。
【背景技術】
【０００２】
高さや背もたれの角度を変更可能な可動部を有する電動家具がある。可動部は、例えば、ケーブルおよびコネクタを介して、可動部の制御を操作する制御装置と接続される。コネクタにおいては、電気的接続の信頼性が高いことが望ましい。
【先行技術文献】
【特許文献】
【０００３】
【特許文献１】特開２０１５−２１０９９４号公報
【発明の概要】
【発明が解決しようとする課題】
【０００４】
本発明の実施形態は、電気的接続の信頼性を向上できるコネクタ、コネクタセット、および電動家具を提供する。
【課題を解決するための手段】
【０００５】
実施形態によれば、コネクタは、第１部分と、第２部分と、電極部分と、第３部分と、を含む。前記電極部分は、前記第１部分と前記第２部分との間に設けられる。前記第３部分は、前記第１部分、前記第２部分、および前記電極部分と連結される。
別の実施形態によれば、コネクタは、第１部分と、第２部分と、第３部分と、電極部分と、第４部分と、を含む。前記第３部分は、前記第１部分と前記第２部分との間に設けられる。前記第３部分は、前記第１部分から前記第２部分に向かう第１方向と交差する第２方向に沿う孔を有する。前記電極部分は、前記第３部分の内側に設けられる。前記第４部分は、前記第１部分、前記第２部分、および前記第３部分と連結される。
別の実施形態によれば、コネクタセットは、第１コネクタおよび第２コネクタを含む。前記第１コネクタは、第１部分と、第２部分と、第１電極部分と、第３部分と、を含む。前記第１電極部分は、前記第１部分から前記第２部分に向かう第１方向において前記第１部分と前記第２部分との間に設けられる。前記第３部分は、前記第１部分、前記第２部分、および前記電極部分と連結される。第２コネクタは、第１部分と、第２部分と、第３部分と、第２電極部分と、第４部分と、を含む。前記第２コネクタの前記第３部分は、前記第２コネクタの前記第１部分と、前記第２コネクタの前記第２部分と、の間に設けられる。前記第３部分は、前記第１方向と交差する第２方向に沿う孔を有する。前記第２電極部分は、前記第２コネクタの前記第３部分の内側に設けられる。前記第２コネクタの前記第４部分は、前記第２コネクタの前記第１部分、前記第２部分、および前記第３部分と連結される。前記第１電極部分は、前記第２電極部分と接触する。前記第２コネクタの前記第３部分は、前記第１コネクタの前記第１部分と、前記第１コネクタの前記第２部分と、の間に位置する。前記第１コネクタの前記第１部分および前記第２部分は、前記第２コネクタの前記第１部分と、前記第２コネクタの前記第２部分と、の間に位置する。
【発明の効果】
【０００６】
本発明の実施形態は、電気的接続の信頼性を向上できるコネクタ、コネクタセット、および電動家具を提供できる。
【図面の簡単な説明】
【０００７】
【図１】図１（ａ）〜図１（ｄ）は、実施形態に係るコネクタを例示する模式図である。
【図２】図２は、実施形態に係るコネクタセットを例示する模式的断面図である。
【図３】図３（ａ）〜図３（ｃ）は、実施形態に係るコネクタの接続方法を例示する模式的断面図である。
【図４】図４（ａ）及び図４（ｂ）は、実施形態に係る別のコネクタセットを例示する模式的断面図である。
【図５】図５（ａ）及び図５（ｂ）は、実施形態に係る電動家具を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
図１（ａ）は、第１コネクタの断面図である。図１（ｂ）は、第２コネクタの断面図である。図１（ｃ）は、第１コネクタの斜視図である。図１（ｄ）は、第２コネクタの斜視図である。
【００１０】
図１（ａ）および図１（ｃ）に表したように、第１コネクタ１０は、第１部分１１、第２部分１２、第３部分１３、および電極部分１９を含む。電極部分１９は、第１部分１１と第２部分１２との間に設けられる。電極部分１９は、第１部分１１および第２部分１２から離れている。第３部分１３は、第１部分１１、第２部分１２、および電極部分１９を連結している。この例では、図１（ｃ）に表したように、第１部分１１と第２部分１２が繋がり、これらの部分を含む筒状部分が、電極部分１９の周りに設けられている。第１部分１１と第２部分１２は、繋がっていなくても良い。第１部分１１と第２部分１２が繋がっていない場合、電極部分１９の周りに、第１部分１１および第２部分１２と離間した別の部分が設けられていても良い。
【００１１】
図１（ｂ）および図１（ｄ）に表したように、第２コネクタ２０は、第１部分２１、第２部分２２、第３部分２３、第４部分２４、および電極部分２９を含む。第３部分２３は、第１部分２１と第２部分２２との間に設けられる。第３部分２３は、第１部分２１および第２部分２２から離れている。第３部分２３は、筒状である。第３部分２３は、第１部分２１から第２部分２２に向かう第１方向と交差する第２方向に沿う孔Ｈを有する。例えば、第１方向および第２方向は、それぞれ、図１（ｂ）に表した方向Ｄ１および方向Ｄ２に沿う。電極部分２９は、第３部分２３の内側に設けられる。第４部分２４は、第１部分２１、第２部分２２、および第３部分２３を連結している。この例では、図１（ｄ）に表したように、第１部分２１および第２部分２２を含む筒状部分が、第３部分２３の周りに設けられている。
【００１２】
第１コネクタ１０は、雄型コネクタとして用いられる。電極部分１９は、例えば２極以上の端子を含む。第２コネクタ２０は、雌型コネクタとして用いられる。電極部分２９は、例えば２極以上の端子を含む。
【００１３】
図２に表したように、実施形態に係るコネクタセット３０は、第１コネクタ１０および第２コネクタ２０を含む。第１コネクタ１０は、第２コネクタ２０と接続できる。電極部分１９は、第３部分２３の内側に挿入され、電極部分２９と接触する。電極部分１９の複数の端子は、それぞれ、電極部分２９の複数の端子と電気的に接続される。第３部分２３は、第１部分１１と第２部分１２との間に位置する。第１部分１１および第２部分１２は、第１部分２１と第２部分２２との間に位置する。
【００１４】
第１コネクタ１０と第２コネクタ２０が接続された状態で、第１方向に向けて力が加えられると、電極部分１９または２９が損傷する場合がある。電極部分１９または２９が損傷すると、第１コネクタ１０と第２コネクタ２０の電気的接続が不安定となる。例えば、第１コネクタ１０と第２コネクタ２０を電気的に接続できなくなる。
【００１５】
第１コネクタ１０は、第１部分１１および第２部分１２を含む。これにより、第１コネクタ１０と第２コネクタ２０の接触面積が増加する。仮に、第１方向に向けて力が加えられたとしても、電極部分１９および２９に加わる力を小さくできる。この結果、電極部分１９または２９が損傷し難くなり、第１コネクタ１０における電気的接続の信頼性を向上できる。
【００１６】
第２コネクタ２０は、第１部分２１および第２部分２２を含む。これにより、第１コネクタ１０と第２コネクタ２０の接触面積が増加する。仮に、第１方向に向けて力が加えられたとしても、電極部分１９および２９に加わる力を小さくできる。この結果、電極部分１９または２９が損傷し難くなり、第２コネクタ２０における電気的接続の信頼性を向上できる。
【００１７】
コネクタセット３０は、第１コネクタ１０および第２コネクタ２０を含む。これにより、コネクタセット３０における電気的接続の信頼性を向上できる。
【００１８】
この例では、図１（ａ）および図２に表したように、筒状の第１部材４０が、第１コネクタ１０の周りに設けられる。第１部材４０は、第１コネクタ１０に面する第１面４１を有する。例えば、第１面４１には、螺旋状の凸部Ｐが設けられる。
例えば、図１（ｂ）および図２に表したように、第１部分２１には第１凹部Ｒ１が設けられ、第２部分２２には第２凹部Ｒ２が設けられる。第１凹部Ｒ１と第２凹部Ｒ２は、繋がっていても良い。凸部Ｐは、第１凹部Ｒ１および第２凹部Ｒ２と嵌合できる。これにより、第１コネクタ１０と第２コネクタ２０をより強固に固定でき、コネクタセット３０における電気的接続の信頼性をさらに向上できる。
【００１９】
より望ましくは、第２コネクタ２０は以下の構成を含む。
図１（ｂ）に表したように、第１部分２１は、第１端部Ｅ１と、第４部分２４に連結された第１連結部Ｃ１と、を含む。第１連結部Ｃ１から第１端部Ｅ１に向かう方向は、第２方向に沿う。第３部分２３は、第２端部Ｅ２と、第４部分２４に連結された第２連結部Ｃ２と、を含む。第２連結部Ｃ２から第２端部Ｅ２に向かう方向は、第２方向に沿う。第２端部Ｅ２の第２方向における位置は、第１端部Ｅ１の第２方向における位置と、第１連結部Ｃ１の第２方向における位置と、の間にある。第１端部Ｅ１は、第２端部Ｅ２よりも、第２方向側に位置する。
【００２０】
例えば、図３（ａ）に表したように、雄型コネクタ（例えば第１コネクタ１０）と第２コネクタ２０が離間した状態から、第２コネクタ２０に第１コネクタ１０を挿し込む。上記の構成によれば、第１コネクタ１０と第２コネクタ２０が第２方向に揃って並んでいない状態でも、図３（ｂ）に表したように、第１コネクタ１０の一部（例えば第１部分１１の一部及び電極部分１９の一部）を、第１部分２１と第２部分２２との間に位置させることができる。第１コネクタ１０の上記一部は、例えば、第１部分２１と第２部分２２との間において、第３部分２３に接触する。第１コネクタ１０を持つ人は、この感触を確認しながら、図３（ｃ）に表したように、第１コネクタ１０と第２コネクタ２０が第２方向に揃うように第１コネクタ１０の角度を変化させる。これにより、第１コネクタ１０を第２コネクタ２０に挿入できる状態になる。すなわち、この構成によれば、第２コネクタ２０が見えない位置に在る場合等においても、雄型コネクタを第２コネクタ２０に容易に接続できる。
【００２１】
実施形態に係るコネクタセットは、以下の構成を含んでいても良い。
図４（ａ）に表したコネクタセット３０ａは、第１コネクタ１０と第２コネクタ２０ａを含む。第２コネクタ２０ａは、第１部分２１および第２部分２２を含まない。第３部分２３は、第１部分１１と電極部分１９との間および第２部分１２と電極部分１９との間に設けられる。
【００２２】
図４（ｂ）に表したコネクタセット３０ｂは、第１コネクタ１０ａと第２コネクタ２０ｂを含む。第１コネクタ１０ａは、第１部分１１および第２部分１２を含まない。第２コネクタ２０ｂにおいて、第１部分２１および第２部分２２は、第３部分２３と連結されている。第３部分１３は、第１部分２１と第２部分２２との間に位置する。第３部分２３の第２方向における位置は、第１部分２１の第２方向における位置と、第２部分２２の第２方向における位置と、の間にある。
【００２３】
図４（ａ）または図４（ｂ）に表した構造によれば、電極部分１９または２９が損傷し難くなり、コネクタセットの電気的接続の信頼性を向上できる。電極部分１９または２９をより損傷し難くし、電気的接続の信頼性をさらに向上させるためには、コネクタセットが図２（ａ）に表した第１コネクタ１０および第２コネクタ２０を含むことが望ましい。
【００２４】
実施形態に係るコネクタセット３０は、例えば、図５（ａ）および図５（ｂ）に表したように、電動家具に用いることができる。
【００２５】
図５（ａ）に表した例では、電動家具３１０は、電動ベッドである。電動家具３１０は、可動部（ボトム）７０および制御装置１１０を含む。制御装置１１０は、操作部１１１を含む。制御装置１１０は、例えば手元スイッチである。
【００２６】
電動家具３１０は、第１ケーブル１１５ａおよび第２ケーブル１１５ｂを含む。第１ケーブル１１５ａの一端は、制御装置１１０に接続される。第１ケーブル１１５ａの他端は、第１コネクタ１０に接続される。第２ケーブル１１５ｂの一端は、可動部７０に接続される。第２ケーブル１１５ｂの他端は、第２コネクタ２０に接続される。第１コネクタ１０と第２コネクタ２０を接続することで、可動部７０と制御装置１１０が電気的に接続される。
【００２７】
第１コネクタ１０と第２コネクタ２０が接続された状態において、電動家具３１０の使用者（電動ベッドに寝る人）は、操作部１１１を使用して、可動部７０の制御を操作できる。可動部７０は、例えば、背ボトム７０ａ、膝ボトム７０ｂ、および脚ボトム７０ｃを含む。使用者は、操作部１１１を使用して、水平方向に対するこれらのボトムの角度を変化させる。
【００２８】
図５（ｂ）に表した例では、電動家具３１１は、電動椅子である。電動家具３１１は、可動部７０を含む。可動部７０は、例えば、背もたれ部７０ｅおよび座面部７０ｆを含む。例えば、電動椅子の使用者（電動椅子に座る人）は、操作部１１１を使用して、水平方向に対する背もたれ部７０ｅおよび座面部７０ｆの角度を変化させる。
【００２９】
電動家具３１１において、電動家具３１０と同様に、第１ケーブル１１５ａ、第２ケーブル１１５ｂ、およびコネクタセット３０により、可動部７０と制御装置１１０が電気的に接続される。
【００３０】
電動家具３１０または３１１が、実施形態に係るコネクタセット３０を含むことで、例えば可動部７０と制御装置１１０との間の電気的接続の信頼性を向上できる。
【００３１】
実施形態によれば、電気的接続の信頼性を向上できるコネクタ、コネクタセット、および電動家具が提供できる。
【００３２】
以上、具体例を参照しつつ、本発明の実施の形態について説明した。しかし、本発明は、これらの具体例に限定されるものではない。例えば、コネクタ、コネクタセット、および電動家具に含まれる操作部、ケーブル、フック、対向部、および留め具などの各要素の具体的な構成に関しては、当業者が公知の範囲から適宜選択することにより本発明を同様に実施し、同様の効果を得ることができる限り、本発明の範囲に包含される。
【００３３】
各具体例のいずれか２つ以上の要素を技術的に可能な範囲で組み合わせたものも、本発明の要旨を包含する限り本発明の範囲に含まれる。
【００３４】
その他、本発明の実施形態として上述したコネクタ、コネクタセット、および電動家具を基にして、当業者が適宜設計変更して実施し得る全てのコネクタ、コネクタセット、および電動家具も、本発明の要旨を包含する限り、本発明の範囲に属する。
【００３５】
その他、本発明の思想の範疇において、当業者であれば、各種の変更例及び修正例に想到し得るものであり、それら変更例及び修正例についても本発明の範囲に属するものと了解される。
【符号の説明】
【００３６】
１０、１０ａ…第１コネクタ
１１…第１部分
１２…第２部分
１３…第３部分
１９…電極部分
２０、２０ａ、２０ｂ…第２コネクタ
２１…第１部分
２２…第２部分
２３…第３部分
２４…第４部分
２９…電極部分
３０、３０ａ、３０ｂ…コネクタセット
４０…第１部材
４１…第１面
７０…可動部
７０ａ…背ボトム
７０ｂ…膝ボトム
７０ｃ…脚ボトム
７０ｅ…背もたれ部
７０ｆ…座面部
１１０…制御装置
１１１…操作部
１１５ａ、１１５ｂ…ケーブル
３１０、３１１…電動家具
Ｃ１ 第１連結部
Ｃ２ 第２連結部
Ｄ１、Ｄ２…方向
Ｅ１ 第１端部
Ｅ２ 第２端部
Ｈ…孔
Ｐ…凸部
Ｒ１…第１凹部
Ｒ２…第２凹部
【図１】
2019057410.tif 000003
【図２】
2019057410.tif 000004
【図３】
2019057410.tif 000005
【図４】
2019057410.tif 000006
【図５】
2019057410.tif 000007